(57)【要約】【課題】季節やスペースの制約を受けることなく飾ることが可能な命名額を提供する。【解決手段】命名額１００は、少なくとも名前に関する情報１１２を化学繊維の生地上に印刷により表示した表示体１１０と、表示体１１０を保持する横長の額縁１２０と、からなることを特徴とする。全体を横置きのレイアウトに変更し、額装することで、季節にかかわらずどのような時期でも違和感なく飾ることができる。また、和室に限らずどのような空間にも違和感なく飾ることができる。また、額装品として独立しているので、単体で飾ることもできる。このようにして、季節やスペースの制約を受けることなく飾ることが可能である。【選択図】図１
0003196138.tif 000002
【実用新案登録請求の範囲】
【請求項１】
少なくとも名前に関する情報を、化学繊維の生地上に印刷により表示した表示体と、
前記表示体を保持する横長の額縁と、
からなることを特徴とする、命名額。
【考案の詳細な説明】
【技術分野】
【０００１】
本考案は、従来の命名旗を応用した、命名額に関する。
【背景技術】
【０００２】
赤ちゃんと一緒に写真撮影などに用いられるためのものとして、命名旗が知られている。命名旗は、名前旗や節句旗とも呼ばれ、赤ちゃんの脇に置かれ、五月人形や雛人形の脇役という位置づけで用いられる（例えば、非特許文献１参照。）。非特許文献１に開示される従来の命名旗は、図２に示したように、縦長（幅１６０ｍｍ、高さ３８０ｍｍ）の旗２２０を、奥行きのある木製のスタンド２１０を用いて吊り下げるものであった。
【先行技術文献】
【非特許文献】
【０００３】
【非特許文献１】インターネット＜ＵＲＬ：http://o3alel8s9.wiki2.jp/yx3xz1gu/16.html＞
【考案の概要】
【考案が解決しようとする課題】
【０００４】
しかし、従来の命名旗は基本的に、五月人形や雛人形の脇役という位置づけで飾られているため、飾ることができる季節が節句に限られていた。また、命名旗は和室を前提に作られているため、飾られるスペースが限られるという問題もあった。
【０００５】
そこで本考案は、このような問題に鑑みてなされたもので、その目的とするところは、季節やスペースの制約を受けることなく飾ることの可能な、新規かつ改良された命名額を提供することにある。
【課題を解決するための手段】
【０００６】
上記課題を解決するために、本考案によれば、少なくとも名前に関する情報を、化学繊維の生地上に印刷により表示した表示体と、前記表示体を保持する横長の額縁と、からなることを特徴とする、命名額が提供される。
【０００７】
かかる構成によれば、全体を横置きのレイアウトに変更し、額装することで、季節にかかわらずどのような時期でも違和感なく飾ることができる。また、和室に限らずどのような空間にも違和感なく飾ることができる。また、額装品として独立しているので、単体で飾ることもできる。このようにして、季節やスペースの制約を受けることなく飾ることが可能である。
【０００８】
本考案は様々な応用が可能である。例えば、文字をさまざまにアレンジしたり、スタンドとともに用いることで、結婚式会場など向けのウェルカムボードや、料理店向けなどの看板等にもアレンジすることができる。
【考案の効果】
【０００９】
本考案によれば、命名額を、季節やスペースの制約を受けることなく飾ることが可能である。なお、本考案のその他の効果や応用例については、さらに後述する。
【図面の簡単な説明】
【００１０】
【図１】本考案の一実施形態にかかる命名額を示す図である。
【図２】従来の命名旗を示す図である。
【考案を実施するための形態】
【００１１】
以下に添付図面を参照しながら、本考案の好適な実施の形態について詳細に説明する。なお、本明細書及び図面において、実質的に同一の機能構成を有する構成要素については、同一の符号を付することにより重複説明を省略する。
【００１２】
図１は、本実施形態にかかる命名額１００を示す図である。本実施形態にかかる命名額１００は、図１に示したように、少なくとも名前に関する情報を化学繊維の生地上に印刷により表示した表示体１１０と、表示体１１０を保持する横長の額縁１２０と、を主に備えて構成される。本実施形態の命名額１００は、従来の命名旗（図２）のような、奥行きのあるスタンドを必要としない。以下、命名額１００の各構成要素について順に説明する。
【００１３】
（表示体１１０）
表示体１１０は、図１に示したように、後述する額縁１２０に収容されており、赤ちゃんの名前に関する情報（「葵」）１１２や誕生日に関する情報（「２０１３年１２月７日生」）１１４やその他の絵柄・模様１１６が表示されている。表示体１１０の大きさは、一例としては、縦３００ｍｍ程度、横４００ｍｍ程度の横長とすることができる。また、表示体１１０の材質は、任意のものとすることができるが、例えば従来の命名旗と同様に、レーヨンちりめんで構成することができる。
【００１４】
名前や誕生日やその他の模様は、化学繊維の生地上に印刷により表示されている。化学繊維の生地とは、例えば、鯉のぼりを作るための生地と同様のものを用いることができる。印刷は、例えば工業用のインクジェットプリンターで印刷することができる。なお、名前や誕生日やその他の模様は、このような印刷によるものだけでなく、刺繍や、色糸を組み合わせて文字や模様を出したり、それらを組み合わせたりしてもよい。
【００１５】
（額縁１２０）
額縁１２０は、図１に示したように、上述した表示体１１０を収容するものである。額縁１２０の材質は、一般的な額縁と同様のものとすることができ、一例としては木材とすることができる。
【００１６】
額縁１２０の大きさは、上述した表示体１１０を収容するのに適した大きさとすることができる。表示体１１０の大きさの一例としては、四つ切サイズ（縦３９２ｍｍ程度、横５４２ｍｍ）程度の横長とすることができる。従来の命名旗（図２）と異なり、横置きのレイアウトに変更し、額装することで、和室に限られず任意の空間に飾ることができる。
【００１７】
額縁１２０のその他の構成については、一般的な額縁と同様のものとすることができる。例えば、命名額１００を壁掛けしやすいように、額縁１２０の背面や周囲に、紐や金具などが付いていたり、壁掛けフック用の穴が開けられていたりしてもよい。
【００１８】
（本実施形態の効果）
以上説明したように、本実施形態の命名額１００によれば、全体を横置きのレイアウトに変更し、額装することで、季節にかかわらずどのような時期でも違和感なく飾ることができる。また、和室に限らずどのような空間にも違和感なく飾ることができる。また、額装品として独立しているので、単体で飾ることもできる。このようにして、季節やスペースの制約を受けることなく飾ることが可能である。また、従来の命名旗（図２）とは異なる概念のものであるため、命名額１００を、従来の命名旗の代わりに飾るだけでなく、命名旗とともに飾ることも可能である。
【００１９】
以上、添付図面を参照しながら本考案の好適な実施形態について説明したが、本考案はかかる例に限定されないことは言うまでもない。当業者であれば、実用新案登録請求の範囲に記載された範疇内において、各種の変更例または修正例に想到し得ることは明らかであり、それらについても当然に本考案の技術的範囲に属するものと了解される。
【００２０】
例えば、上記実施形態では、表示体１１０として、横長のレイアウトについて説明したが、本考案はこれに限定されない。表示体については、必ずしも横長のレイアウトでなく、縦型のレイアウトやその他の形状であってもよい。
【００２１】
また、上記実施形態では、表示体１１０に、名前に関する情報１１２のほか、誕生日に関する情報１１４やその他の絵柄・模様１１６を表示させた場合について説明したが、本考案はこれに限定されない。表示体には、少なくとも名前に関する情報が表示されていれば、その他の情報は任意に表示させることができる。
【００２２】
また、上記実施形態で説明した表示体１１０や額縁１２０の大きさは、一例に過ぎない。例えば、額縁を八つ切サイズ（縦２７１ｍｍ程度、横３９２ｍｍ）程度の横長とすることができ、表示体もこれに収容するのに適した大きさとすることができる。
【産業上の利用可能性】
【００２３】
本考案は、命名旗を応用した命名額に利用可能である。
【符号の説明】
【００２４】
１００  命名額
１１０  表示体
１１２  名前に関する情報
１１４  誕生日に関する情報
１１６  絵柄・模様
１２０  額縁
【図１】
0003196138.tif 000003
【図２】
0003196138.tif 000004